(57)【要約】【課題】  一つまたは複数の動画像を画像表示する際に、異なるフレームの画像が1枚の画面に表示されて画面ちらつきが発生することを防ぐ。【解決手段】  動画像の圧縮処理または伸張処理を行う動画像処理部２と、この動画像処理部２により参照・更新されるメモリの他に表示用メモリとなる三つのメモリ１１ａ〜１１ｃを有する表示メモリ部１１と、三つのメモリ１１ａ〜１１ｃの切り替えを行う切り替え部１２ａ，１２ｂ，１３と、表示用メモリの切り替えタイミングを制御する表示メモリ調整部１４Ａと、表示メモリ部１１から入力される動画像データから１枚の画面データを生成する画面合成部５と、この画面合成部５の出力を表示部７に出力する画面出力部６とを有し、表示部７の表示タイミングに応じてメモリ切り替え部１２，１３の表示用メモリ切り替えタイミングを制御する。【選択図】  図１
2005286920.tif 000002
【特許請求の範囲】
【請求項１】
動画像処理部で処理された画像データを画面合成部で画面合成して表示部に動画像を表示可能とする動画像表示装置において、
表示メモリ部の保持データを該動画像処理部に参照データとして供給する入力画像用メモリ、該動画像処理部で処理された画像データが更新データとして該表示メモリ部に供給される出力画像用メモリ、および該表示メモリ部の保持データを該画面合成部に表示データとして供給する表示用メモリとして、該表示メモリ部に三つのメモリを割り当てるように、該三つのメモリと該動画像処理部のデータ入出力部および該画面合成部のデータ入力部との各接続を切り替えるメモリ切り替え部と、
該表示部の表示タイミングに合わせて、該メモリ切り替え部における表示用メモリの該画面合成部への接続切り替えタイミングを調整制御する表示メモリ調整部とを有する動画像表示装置。
【請求項２】
前記動画像処理部は複数配設されて動画像処理をそれぞれ行い、
前記メモリ切り替え部および表示メモリ部は、該動画像処理部毎にそれぞれ配設されている請求項１に記載の動画像表示装置。
【請求項３】
前記動画像処理部は、前記表示メモリ部から供給される参照データを用いて動画像データの圧縮処理または伸張処理を行い、該処理が為されたデータを前記更新データとして該表示メモリ部に出力する請求項１または２に記載の動画像表示装置。
【請求項４】
前記表示メモリ部は、前記動画像処理部で処理された画像データが保持される前記三つのメモリを有する請求項１〜３のいずれかに記載の動画像表示装置。
【請求項５】
前記画面合成部は、前記表示メモリ部から供給される表示データを任意の表示位置に任意のサイズで配置して１枚の画面データを合成する請求項１または２に記載の動画像表示装置。
【請求項６】
前記画面合成部は、前記複数の表示メモリ部から供給される複数の表示データを任意の順番で重ねて表示位置に配置して１枚の画面データを合成する請求項２に記載の動画像表示装置。
【請求項７】
前記画面合成部は、前記複数の表示メモリ部から供給される複数の表示データをそれぞれ独立して任意の表示位置に任意のサイズで配置して１枚の画面データを合成する請求項２に記載の動画像表示装置。
【請求項８】
前記表示部は、前記画面合成部で合成した画面データから得られた表示画像データを表示画面に表示する請求項１に記載の動画像表示装置。
【請求項９】
前記表示部は、一定間隔で画面更新が行われ、
前記表示メモリ調整部は、該画面更新の間隔に合わせて前記メモリ切り替え部の前記画面合成部への接続切り替えタイミングを調整制御する請求項１または８に記載の動画像表示装置。
【請求項１０】
前記表示部は、外部からの表示要求によって画面更新が行われ、
前記表示メモリ調整部は、該表示要求のタイミングに応じて前記メモリ切り替え部の前記画面合成部への接続切り替えタイミングを調整制御する請求項１または８に記載の動画像表示装置。
【請求項１１】
動画像処理部で処理された画像データを画面合成部で画面合成して動画像表示を行う動画像表示装置を用いた動画像表示方法において、
画像データの動画像処理を行う動画像処理ステップと、
動画像処理された画像データが保持される表示メモリ部の三つのメモリを、該表示メモリ部の保持データを参照データとして該動画像処理部に供給する入力画像用メモリ、該動画像処理部で動画像処理された画像データが更新データとして該表示メモリ部に供給される出力画像用メモリ、および該表示メモリ部の保持データを表示データとして該画面合成部に出力する表示用メモリとして該表示メモリ部に割り当てるように、該三つのメモリと該動画像処理部のデータ入出力部および該画面合成部のデータ入力部との各接続を切り替えると共に、該表示用メモリの切り替えタイミングを表示タイミングに合わせて調整制御するメモリ切り替えステップとを有し、これらのステップを繰り返して該画面合成部で画面合成を行う動画像表示方法。
【請求項１２】
複数の動画像処理部でそれぞれ処理された複数の画像データを画面合成部で画面合成して動画像表示を行う動画像表示装置を用いた動画像表示方法において、
複数の画像データの動画像処理をそれぞれ行う動画像処理ステップと、
該複数の画像データの動画像処理毎に、動画像処理された画像データが保持される表示メモリ部の三つのメモリを、該表示メモリ部の保持データを参照データとして該動画像処理部に供給する入力画像用メモリ、該動画像処理部で動画像処理された画像データが更新データとして該表示メモリ部に供給される出力画像用メモリ、および該表示メモリ部の保持データを表示データとして該画面合成部に出力する表示用メモリとして割り当てるように、該三つのメモリと該動画像処理部のデータ入出力部および該画面合成部のデータ入力部との各接続を切り替えると共に、該表示用メモリの切り替えタイミングを表示タイミングに合わせて調整制御するメモリ切り替えステップとを有し、これらのステップを繰り返して該画面合成部で画面合成を行う動画像表示方法。
【請求項１３】
前記表示用メモリから供給される画像データを一枚の画面データに合成する画面合成ステップと、
画面合成された画面データを表示媒体に出力可能な画像データとして出力する画面出力ステップと、
該画像データを表示画面上に表示する表示ステップとを更に有する請求項１１または１２に記載の動画像表示方法。
【請求項１４】
前記表示ステップでは、一定間隔で画面更新を行い、
前記メモリ切り替えステップでは、該画面更新の間隔に合わせて前記表示用メモリの切り替えタイミングを調整制御する請求項１３に記載の動画像表示方法。
【請求項１５】
前記表示ステップでは、外部からの表示要求によって画面更新を行い、
前記メモリ切り替えステップでは、該表示要求のタイミングに応じて前記表示用メモリの切り替えタイミングを調整制御する請求項１３に記載の動画像表示方法。
【請求項１６】
前記画面合成ステップでは、前記表示用メモリから供給される表示データを任意の表示位置に任意のサイズで配置して１枚の画面データを合成する請求項１３に記載の動画像表示方法。
【請求項１７】
前記画面合成ステップでは、前記動画像処理部が複数ある場合に、前記複数の表示メモリ部から供給される複数の表示データを任意の順番で重ねて表示位置に配置して１枚の画面データを合成する請求項１３に記載の動画像表示方法。
【請求項１８】
前記画面合成ステップでは、前記動画像処理部が複数ある場合に、前記複数の表示メモリ部から供給される複数の表示データをそれぞれ独立して任意の表示位置に任意のサイズで配置して１枚の画面データを合成する請求項１３に記載の動画像表示方法。
【請求項１９】
前記動画像処理ステップは、前記表示用メモリから供給される参照データを用いて画像データの圧縮処理または伸張処理を行い、該処理が為された画像データを前記更新データとして前記表示メモリ部に出力する請求項１１または１２に記載の動画像表示方法。
【請求項２０】
請求項１〜１０のいずれかに記載の動画像表示装置を表示画面部に用いた動画像通信システム。
【発明の詳細な説明】
【技術分野】
【０００１】
本発明は、動画像を表示可能とする動画像表示装置およびこれを用いた動画像表示方法、これらを用いた例えばテレビジョン電話システムなどの双方向および多地点間での動画像通信システムに関する。
【背景技術】
【０００２】
従来、この種の動画像表示装置として、例えば特許文献１には、動画像圧縮処理用の画像メモリを三つ設けてそのうちの一つを表示用メモリとして用いることによって、複数画面を一つの画面に合成して表示可能としたものが開示されている。以下に、特許文献１に開示されている動画像表示装置について、図５を参照しながら説明する。
【０００３】
図５は、特許文献１に開示されている従来の動画像表示装置の概略構成例を示すブロック図である。
【０００４】
図５に示すように、動画像表示装置１は、ＭＰＥＧ−４などにより動画像データの圧縮処理を行う動画像圧縮回路２と、動画像圧縮回路２で処理された画像データが格納される三つのメモリ３ａ〜３ｃを有する表示メモリ部３と、表示メモリ部３の二つのメモリ３ｂおよび３ｃと動画像圧縮回路２の入出力部との接続を切り替える二つの切り替え部４ａおよび４ｂを有するメモリ切り替え部４と、表示メモリ部３から供給される表示データから一枚の画面データを合成する画面合成部５と、この画面合成部５から供給される画面データを表示媒体に出力可能な画像データとして出力する画面出力部６と、この画面出力部６から供給される画像データを表示画面（表示媒体）上に表示可能とする表示部７とを備えている。
【０００５】
一般に、ＭＰＥＧ−４などによる圧縮処理では、前フレームの画像データ（参照データ）と入力画像データ（外部から通信などにより供給される現フレームの画像データ）との差分を取って画像圧縮処理を行うことにより圧縮画像データを生成し、生成された圧縮画像データを次フレームで参照データとして用いて画像圧縮処理を行う、という処理を繰り返すことによって動画像データの圧縮処理を行っている。
【０００６】
この動画像表示装置１では、表示メモリ部３に三つの画像メモリ３ａ〜３ｃが設けられており、画像メモリ３ａは画面合成部５に表示データを供給する表示用メモリとして用いられる。また、画像メモリ３ｂおよび３ｃは、動画像圧縮回路２に参照データを供給するための入力画像メモリ、および動画像圧縮回路２からの圧縮画像データが更新データとして格納される出力画像メモリとして切り替えて用いられる。現フレームの処理時に画像メモリ３ｂおよび３ｃの一方を入力画像メモリ、他方を出力画像メモリとして用い、次フレームの処理ではそれらを入れ替えて用いるために、メモリ切り替え部４の各切り替え部４ａおよび４ｂで動画像圧縮回路２の入出力部との接続が切り替えられている。
【特許文献１】特開平６−３３４９９７号公報
【発明の開示】
【発明が解決しようとする課題】
【０００７】
しかしながら、上記特許文献１に開示されている従来の動画像表示装置１には、以下に示すような問題がある。
【０００８】
この動画像表示装置１において、画面表示のための表示用メモリとしては、常に単一の画像メモリ３ａが用いられており、圧縮画像データの書き込み処理（画像メモリ３ｂまたは３ｃへのデータ更新）の切り替えタイミングと、画面合成部５への表示データ出力（画面更新）のタイミングとが非同期に起こった場合、異なるフレームの動画像データが１枚の画面として表示部７の表示媒体（表示画面）に表示されることになる。この場合に、画面合成時の画像のずれが画面のちらつきとして視認されることについて、以下に図６を用いて詳細に説明する。
【０００９】
図６は、図５の画像メモリ３ｂおよび３ｃの切り替えタイミングと画面表示のタイミングとを時間軸に沿って示した図である。
【００１０】
時間ｔ（フレーム出力開始時）には、画像メモリ３ｂが動画像圧縮回路２により入力画像用メモリとして参照されて画像圧縮処理が行われており、動画像圧縮回路２からの処理途中の出力画像データは出力画像用メモリとしての画像メモリ３ｃに格納される。このとき、表示用メモリとしての画像メモリ３ａには画像メモリ３ｂと同じ画像データが保持されており、画像メモリ３ａの画像データが表示データとして画面合成部５に供給されて、表示部７の表示媒体（表示画面）上に画像が表示される。図６の表示部７におけるＡは、このフレームの途中で表示媒体（表示画面）上に表示されつつある画像である。ここでは、画像メモリ３ａに格納されるフレームデータのうち、上半分の画像が表示されているものとする。
【００１１】
次に、時間ｔ＋Δｘには、動画像圧縮回路２による画像圧縮処理が終了し、画像メモリ３ｃに処理が終了した出力画像データが格納される。これと同時に、画像メモリ３ａのデータも更新され、この時点で表示部７に出力される画像となる。画像メモリ３ｂは、それまで動画像圧縮回路２から参照される入力画像用メモリとして用いられていたが、この時点で動画像圧縮回路２により圧縮処理された出力画像データが格納される出力画像用メモリとして切り替えられる。
【００１２】
表示部７におけるＢは、この時点で表示媒体（表示画面）上に表示されつつある画像である。ここでは、画面描画途中で表示用メモリとしての画像メモリ３ａの保持データが切り替わったため、画像の上下で表示されるデータが異なり、画像がずれたように表示されている
続いて、時間ｔ＋Δ（ｘ＋１）で、表示用メモリとしての画像メモリ３ａの画像データが表示データとして画面合成部５に供給されて、表示部７の表示媒体（表示画面）上に画像が表示される。
【００１３】
表示部７におけるＣは、この時点で表示媒体（表示画面）上に表示されている画像である。ここでも、図６の表示部７におけるＢの場合と同様に、画像がずれたように表示されている。
【００１４】
続いて、時間ｔ＋１（次のフレーム出力開始時）で、画像メモリ３ｃが動画像圧縮回路２により入力画像用メモリとして参照されて画像圧縮処理が行われており、動画像圧縮回路２からの処理途中の出力画像データが出力画像用メモリとしての画像メモリ３ｂに格納される。表示用メモリとしての画像メモリ３ａの画像データが表示データとして画面合成部５に供給されて、表示部７の表示媒体（表示画面）上に画像が表示される。
【００１５】
表示部７におけるＤは、このフレームの途中で表示媒体（表示画面）上に表示されつつある画像である。ここでは、画像メモリ３ａに格納されるフレームデータのうち、上半分が表示画面上に表示されている。
【００１６】
その後、時間（ｔ＋１）＋Δｘには、動画像圧縮回路２による画像圧縮処理が終了し、画像メモリ３ｂに処理が終了した出力画像データが格納される。これと同時に、画像メモリ３ａのデータが更新され、この時点で表示部７に出力される画像となる。画像メモリ３ｃは、それまで動画像圧縮回路２から参照される入力画像用メモリとして用いられていたが、この時点で動画像圧縮回路２により圧縮処理された出力画像データが格納される出力画像用メモリとして切り替えられる。
【００１７】
表示部７におけるＥは、この時点で表示媒体（表示画面）上に表示されつつある画像である。ここでも、画面描画途中で表示用メモリとしての画像メモリ３ａの保持データが切り替わったため、画像の上下で表示されるデータが異なり、画像がずれたように表示されている。
【００１８】
このような表示画面における画像のずれは、1枚の画面当たりの表示時間が短い場合には人間の目に視認されず、ずれとして認識されにくい。しかしながら、１枚の画面当たりの表示時間が長くなるにつれて、画像のずれが画面のちらつきとして認識されるようになる。
【００１９】
これを防ぐために、画面の更新中に動画像処理のために用いられる入出力用画像メモリ（画像メモリ３ｂおよび３ｃ）の切り替えを行わない、という方法も考えられる。しかしながら、この場合には、動画像処理が画面更新速度によって制限されてしまうため、動画像処理が間に合わないなどのような別の問題が発生する。
【００２０】
本発明は、上記従来の問題を解決するもので、動画像処理と画面更新とが非同期のタイミングで起こる場合でも、ちらつきが発生せず、良好な表示状態を得ることができる動画像表示装置および動画像表示方法、これらを用いた動画像通信システムを提供することを目的とする。
【課題を解決するための手段】
【００２１】
本発明の動画像表示装置は、動画像処理部で処理された画像データを画面合成部で画面合成して表示部に動画像を表示可能とする動画像表示装置において、表示メモリ部の保持データを該動画像処理部に参照データとして供給する入力画像用メモリ、該動画像処理部で処理された画像データが更新データとして該表示メモリ部に供給される出力画像用メモリ、および該表示メモリ部の保持データを該画面合成部に表示データとして供給する表示用メモリとして、該表示メモリ部に三つのメモリを割り当てるように、該三つのメモリと該動画像処理部のデータ入出力部および該画面合成部のデータ入力部との各接続を切り替えるメモリ切り替え部と、該表示部の表示タイミングに合わせて、該メモリ切り替え部における表示用メモリの該画面合成部への接続切り替えタイミングを調整制御する表示メモリ調整部とを有し、そのことにより上記目的が達成される。
【００２２】
また、好ましくは、本発明の動画像表示装置における動画像処理部は複数配設されて動画像処理をそれぞれ行い、前記メモリ切り替え部および表示メモリ部は、該動画像処理部毎にそれぞれ配設されている。
【００２３】
さらに、好ましくは、本発明の動画像表示装置における動画像処理部は、前記表示メモリ部から供給される参照データを用いて動画像データの圧縮処理または伸張処理を行い、該処理が為されたデータを前記更新データとして該表示メモリ部に出力する。
【００２４】
さらに、好ましくは、本発明の動画像表示装置における表示メモリ部は、前記動画像処理部で処理された画像データが保持される前記三つのメモリを有する。
【００２５】
さらに、好ましくは、本発明の動画像表示装置における画面合成部は、前記表示メモリ部から供給される表示データを任意の表示位置に任意のサイズで配置して１枚の画面データを合成する。
【００２６】
さらに、好ましくは、本発明の動画像表示装置における画面合成部は、前記複数の表示メモリ部から供給される複数の表示データを任意の順番で重ねて表示位置に配置して１枚の画面データを合成する。
【００２７】
さらに、好ましくは、本発明の動画像表示装置における画面合成部は、前記複数の表示メモリ部から供給される複数の表示データをそれぞれ独立して任意の表示位置に任意のサイズで配置して１枚の画面データを合成する。
【００２８】
さらに、好ましくは、本発明の動画像表示装置における表示部は、前記画面合成部で合成した画面データから得られた表示画像データを表示画面に表示する。
【００２９】
さらに、好ましくは、本発明の動画像表示装置における表示部は、一定間隔で画面更新が行われ、前記表示メモリ調整部は、該画面更新の間隔に合わせて前記メモリ切り替え部の前記画面合成部への接続切り替えタイミングを調整制御する。
【００３０】
さらに、好ましくは、本発明の動画像表示装置における表示部は、外部からの表示要求によって画面更新が行われ、前記表示メモリ調整部は、該表示要求のタイミングに応じて前記メモリ切り替え部の前記画面合成部への接続切り替えタイミングを調整制御する。
【００３１】
本発明の動画像表示方法は、動画像処理部で処理された画像データを画面合成部で画面合成して動画像表示を行う動画像表示装置を用いた動画像表示方法において、画像データの動画像処理を行う動画像処理ステップと、動画像処理された画像データが保持される表示メモリ部の三つのメモリを、該表示メモリ部の保持データを参照データとして該動画像処理部に供給する入力画像用メモリ、該動画像処理部で動画像処理された画像データが更新データとして該表示メモリ部に供給される出力画像用メモリ、および該表示メモリ部の保持データを表示データとして該画面合成部に出力する表示用メモリとして該表示メモリ部に割り当てるように、該三つのメモリと該動画像処理部のデータ入出力部および該画面合成部のデータ入力部との各接続を切り替えると共に、該表示用メモリの切り替えタイミングを表示タイミングに合わせて調整制御するメモリ切り替えステップとを有し、これらのステップを繰り返して該画面合成部で画面合成を行い、そのことにより上記目的が達成される。
【００３２】
本発明の動画像表示方法は、複数の動画像処理部でそれぞれ処理された複数の画像データを画面合成部で画面合成して動画像表示を行う動画像表示装置を用いた動画像表示方法において、複数の画像データの動画像処理をそれぞれ行う動画像処理ステップと、該複数の画像データの動画像処理毎に、動画像処理された画像データが保持される表示メモリ部の三つのメモリを、該表示メモリ部の保持データを参照データとして該動画像処理部に供給する入力画像用メモリ、該動画像処理部で動画像処理された画像データが更新データとして該表示メモリ部に供給される出力画像用メモリ、および該表示メモリ部の保持データを表示データとして該画面合成部に出力する表示用メモリとして割り当てるように、該三つのメモリと該動画像処理部のデータ入出力部および該画面合成部のデータ入力部との各接続を切り替えると共に、該表示用メモリの切り替えタイミングを表示タイミングに合わせて調整制御するメモリ切り替えステップとを有し、これらのステップを繰り返して該画面合成部で画面合成を行い、そのことにより上記目的が達成される。
【００３３】
また、好ましくは、本発明の動画像表示方法において、表示用メモリから供給される画像データを一枚の画面データに合成する画面合成ステップと、画面合成された画面データを表示媒体に出力可能な画像データとして出力する画面出力ステップと、該画像データを表示画面上に表示する表示ステップとを更に有する。
【００３４】
さらに、好ましくは、本発明の動画像表示方法における表示ステップでは、一定間隔で画面更新を行い、前記メモリ切り替えステップでは、該画面更新の間隔に合わせて前記表示用メモリの切り替えタイミングを調整制御する。
【００３５】
さらに、好ましくは、本発明の動画像表示方法における表示ステップでは、外部からの表示要求によって画面更新を行い、前記メモリ切り替えステップでは、該表示要求のタイミングに応じて前記表示用メモリの切り替えタイミングを調整制御する。
【００３６】
さらに、好ましくは、本発明の動画像表示方法における画面合成ステップでは、前記表示用メモリから供給される表示データを任意の表示位置に任意のサイズで配置して１枚の画面データを合成する。
【００３７】
さらに、好ましくは、本発明の動画像表示方法における画面合成ステップでは、前記動画像処理部が複数ある場合に、前記複数の表示メモリ部から供給される複数の表示データを任意の順番で重ねて表示位置に配置して１枚の画面データを合成する。
【００３８】
さらに、好ましくは、本発明の動画像表示方法における画面合成ステップでは、前記動画像処理部が複数ある場合に、前記複数の表示メモリ部から供給される複数の表示データをそれぞれ独立して任意の表示位置に任意のサイズで配置して１枚の画面データを合成する。
【００３９】
さらに、好ましくは、本発明の動画像表示方法における動画像処理ステップは、前記表示用メモリから供給される参照データを用いて画像データの圧縮処理または伸張処理を行い、該処理が為された画像データを前記更新データとして前記表示メモリ部に出力する。
【００４０】
本発明の動画像通信システムは、請求項１〜１０のいずれかに記載の動画像表示装置を表示画面部に用いたものであり、そのことにより上記目的が達成される。
【００４１】
上記構成により、以下に、本発明の作用について説明する。
【００４２】
本発明にあっては、表示メモリ部に三つのメモリを設けて、動画像処理部から参照・更新される入力画像用メモリおよび出力画像用メモリの他に、表示用メモリとしても切り替え、その表示用メモリの切り替えタイミングを表示タイミングに合わせて調整制御する。例えば、液晶表示装置などのように一定間隔で画面更新が行われる表示装置では、画面更新の間隔に合わせて表示用メモリの切り替えタイミングを調整制御する。また、外部からの表示要求によって画面更新が行われる表示装置では、その表示要求のタイミングに合わせて表示用メモリの切り替えタイミングを調整制御する。
【００４３】
このように、表示用メモリの切り替えタイミングが表示タイミングに合わせて調整制御されるため、次の画面更新タイミングまでは、表示用メモリとして割り当てられた一つのメモリの保持データが画面合成部への表示データとして出力される。また、その表示用メモリは次の表示画面更新（次のフレーム）まで出力画像用メモリとして割り当てられず、動画像処理途中のデータは供給されない。
【００４４】
したがって、圧縮処理または／および伸長処理などの動画像処理と表示画面更新のタイミングが非同期であっても、異なるフレームの動画像データが１枚の画面に表示されず、ちらつきが生じることはない。また、動画像処理に用いられる入力画像用メモリと出力画像用メモリとは、切り替えタイミングを表示タイミングに合わせなくてもよいため、動画像処理が画面更新速度によって制限されて動画像処理が間に合わなくなるという問題も生じない。
【発明の効果】
【００４５】
以上説明したように、本発明によれば、三つのメモリを設けて、動画像処理部から参照・更新される入力画像用メモリ・出力画像用メモリの他に、表示用メモリとしても切り替え、その切り替えタイミングを表示タイミングに合わせて調整制御することにより、動画像処理と表示画面の更新タイミングが異なっていても、表示用メモリの画面合成部への出力が表示タイミングに合わせて（フレーム毎に）調整制御されるため、従来のように異なるフレームの動画像データが１枚の画面に表示されず、１枚の画面に一つまたは複数の動画像を表示させる場合に、ちらついて表示されることがなくなる。さらに、一つまたは複数の動画像をそれぞれ任意の画面表示順位、表示位置および表示サイズで１枚の画面に表示させる場合であっても、ちらついて表示されることがなく、画面の視認性を向上させて良好な表示状態を得ることができる。
【発明を実施するための最良の形態】
【００４６】
以下に、本発明の動画像表示装置および動画像表示方法の実施形態１，２について、図面を参照しながら説明する。
（実施形態１）
図１は、本実施形態１の動画像表示装置の概略構成例を示すブロック図である。なお、図１において、図５と同じ作用効果（機能）を奏する部材には同じ符号を付す。
【００４７】
図１に示すように、動画像表示装置１Ａは、動画像データの圧縮または伸長を行う動画像処理部としての動画像圧縮回路２と、この動画像圧縮回路２で処理された画像データが格納される三つのメモリ１１ａ〜１１ｃを有する表示メモリ部１１と、表示メモリ部１１の三つのメモリ（圧縮画像メモリ）１１ａ〜１１ｃと動画像圧縮回路２の入出力部を切り替える二つの切り替え部１２ａ，１２ｂを有するメモリ切り替え部１２と、三つのメモリ１１ａ〜１１ｃと画像合成部５の入力部との接続を切り替えるメモリ切り替え部１３と、メモリ切り替え部１３における表示用メモリの接続切り替えタイミングを調整制御する表示メモリ調整部１４Ａと、表示メモリ部１１から供給される表示データから一枚の画面データを合成する画面合成部５と、この画面合成部５から供給される画面データを表示媒体に出力可能な画像データとして出力する画面出力部６と、この画面出力部６から供給される画像データを表示画面（表示媒体）に表示する表示部７とを有している。
【００４８】
動画像圧縮回路２では、動画像処理として、ＭＰＥＧ−４などにより動画像データの圧縮処理が行われる。
【００４９】
一般に、ＭＰＥＧ−４などによる動画像圧縮処理では、前フレームの画像データ（参照データ）と入力画像データ（外部から通信などにより供給される現フレームの画像データ）との差分を取って動画像圧縮処理を行うことにより圧縮画像データを生成し、生成された圧縮画像データを次フレームで参照データとして用いて動画像圧縮処理を行う、という処理を繰り返すことによって動画像データの圧縮処理を行っている。
【００５０】
これによって、１フレーム前の時間に出力された画像データを参照データとして保持するためのメモリ（入力画像用メモリ）と、圧縮された画像データを次フレームの圧縮処理用の参照データとして保持するためのメモリ（出力画像用メモリ）が必要である。本実施形態１では、表示メモリ部１１に設けられた三つのメモリ１１ａ〜１１ｃが、これらの動画像圧縮処理用の入力画像用メモリおよび出力画像用メモリの他に、画像合成部５に表示データを供給する表示用メモリとしても用いられる。なお、外部からの入力画像データについては、その詳細説明を省略している。
【００５１】
メモリ切り替え部１２，１３では、表示メモリ部１１の各メモリ１１ａ〜１１ｃのそれぞれが入力画像用メモリ、出力画像用メモリおよび表示用メモリとして割り当てられて、動画像圧縮回路２および画面合成部５との各接続をそれぞれ切り替える。
【００５２】
切り替え部１２ａでは、動画像圧縮処理のために必要とされる参照データを動画像圧縮回路２に供給するために、メモリ１１ａ〜１１ｃのうちの一つが入力画像用メモリとして切り替え選択されて動画像圧縮回路２の入力部と接続される。
【００５３】
切り替え部１２ｂでは、動画像圧縮処理後の画像データを次フレームの参照データとして保持するために、メモリ１１ａ〜１１ｃの一つが出力画像用メモリとして選択されて動画像圧縮回路２の出力部と接続される。
【００５４】
メモリ切り替え部１３では、画像合成部５に表示データを供給するために、メモリ１１ａ〜１１ｃのうちの一つが表示用メモリとして切り替え選択されて画像合成部５の入力部と接続される。このメモリ切り替え部１３では、表示メモリ調整部１４Ａからの制御信号によってメモリ１１ａ〜１１ｃと画面合成部５の入力部との接続が切り替えられる。本実施形態１では、動画像処理（圧縮処理）と表示画面更新の各タイミングが非同期であっても、異なるフレームの動画像データが１枚の画面に表示されてちらつきが生じることがないように、表示メモリ調整部１４Ａからの制御信号によって、表示用メモリの切り替えタイミングが表示タイミングに合わせて調整制御されている。
【００５５】
この場合、入力画像用データと出力画像用データの切り替えタイミング（切り替え部１２ａと１２ｂの切り替え動作）は、動画像圧縮回路２からの処理終了信号などによって制御される。
【００５６】
画面合成部５では、表示メモリ部１１から供給される表示データから一枚の画面データが合成される。このとき、画面合成部５では、画像データ（動画像）の表示画面上の配置位置や表示倍率（画像サイズ）などを任意に設定することも可能である。
【００５７】
画面出力部６では、画面合成部５から供給される画面データが表示媒体（表示画面）に出力可能な画像データに変換されて表示部７に供給される。
【００５８】
表示部７では、液晶ディスプレイなどの表示媒体（表示画面）上に画像データが表示され、この表示画面により実際にユーザが画像を見ることができる。
【００５９】
上記構成により、以下に、本実施形態１の動画像表示装置１Ａの動作（動画像表示方法）について説明する。
【００６０】
図２は、図１の表示メモリ部１１の切り替えタイミングと、表示部７の画面表示タイミングとを時間軸に沿って示した図である。
【００６１】
図２に示すように、まず、時間ｔ（フレーム出力開始時）には、切り替え部１２ａおよび１２ｂではメモリ１１ａおよび１１ｂが動画像圧縮処理用のメモリとして割り当てられており、メモリ１１ｂが動画像圧縮回路２により入力画像用メモリとして参照されて動画像圧縮処理が行われ、動画像圧縮回路２からの処理途中の出力画像データは出力画像用メモリとしてのメモリ１１ａに格納される。このとき、切り替え部１３ではこれらとは別のメモリ１１ｃが表示用メモリとして割り当てられており、１フレームの画面表示が完了するまで（画面更新まで；表示タイミングに合わせて）、このメモリ１１ｃの保持データが表示データとして画面合成部５に供給されて、表示部７の表示媒体（表示画面）上に画像が表示される。
【００６２】
表示部７におけるＡ１は、このフレームの途中で表示媒体（表示画面）上に表示されている画像である。ここでは、メモリ１１ｃに格納されているフレームデータのうち、上半分が表示画面上に表示されている。
【００６３】
次に、時間ｔ＋Δｘには、動画像圧縮回路２による動画像圧縮処理が終了し、メモリ１１ａに処理が終了した出力画像データが格納される。この時点で、切り替え部１２ａおよび１２ｂにより入力画像用メモリと出力画像用メモリとが切り替えられて動画像圧縮回路２の入出力部との接続が切り替えられる。これにより、メモリ１１ｂは、それまで動画像圧縮回路２から参照される入力画像用メモリとして用いられていたが、次に、動画像圧縮回路２により圧縮処理された出力画像データが格納される出力画像用メモリとして用いられる。また、メモリ１１ａは、それまで動画像圧縮回路２により圧縮処理された出力画像データが格納される出力画像用メモリとして用いられていたが、次に、動画像圧縮回路２から参照される入力画像用メモリとして用いられる。
【００６４】
一方、切り替え部１３では、画面合成部５に表示データを供給する表示用メモリがメモリ１１ｃのまま切り替えられず、表示用メモリとしてのメモリ１１ｃの保持データが表示データとして画面合成部５に供給されて、表示部７の表示媒体（表示画面）上に画像が表示される。
【００６５】
表示部７におけるＢ１は、この時点で表示媒体（表示画面）上に表示されている画像である。ここでは、画面描画途中で表示用メモリとしてのメモリ１１ｃが切り替わらず、その保持データも更新されないため、図６のＢに示すような画像のずれは生じない。
【００６６】
続いて、時間ｔ＋Δ（ｘ＋１）では、切り替え部１２ａ，１２ｂ，１３でメモリ切り替えが行われず、表示用メモリとしてのメモリ１１ｃの保持データが表示データとして画面合成部５に供給されて、表示部７の表示媒体（表示画面）上に画像が表示される。
【００６７】
表示部７におけるＣ１は、この時点で表示媒体（表示画面）上に表示されている画像である。ここでは、メモリ１１ｃの保持データ（フレームデータ）は表示完了されており、図２のＢ１の場合と同様に、画像のずれは生じない。
【００６８】
続いて、時間ｔ＋１において１フレームの画面出力が終了すると、切り替え部１３ではメモリ１１ａが次フレーム用の表示用メモリとして割り当てられるように画面合成部５の入力部との接続が切り替えられる。また、切り替え部１２ａでは、メモリ１１ａが入力画像用メモリとしても兼用して割り当てられ、動画像圧縮回路２により参照されて動画像圧縮処理が行われる。また、切り替え部１２ｂでは、メモリ１１ｂがそのまま出力画像用メモリとして割り当てられており、動画像圧縮回路２からの処理途中の出力画像データがメモリ１１ｂに格納される。この時点で、メモリ１１ｃは未使用になる。
【００６９】
表示部７におけるＤ１は、このフレームの途中で表示媒体（表示画面）上に表示されている画像である。ここでは、メモリ１１ａに格納されているフレームデータのうち、上半分が表示されている。
【００７０】
その後、時間（ｔ＋１）＋Δｘには、動画像圧縮回路２による動画像圧縮処理が終了し、メモリ１１ｂに処理が終了した出力画像データが格納される。この時点で、切り替え部１２ａおよび１２ｂにより入力画像用メモリと出力画像用メモリとが切り替えられて動画像圧縮回路２の入出力部との接続が切り替えられる。これにより、メモリ１１ａは、それまで動画像圧縮回路２から参照される入力画像用メモリとして用いられていたが、動画像圧縮回路２での処理には用いられなくなる。また、メモリ１１ｂは、それまで動画像圧縮回路２により圧縮処理された出力画像データが格納される出力画像用メモリとして用いられていたが、動画像圧縮回路２から参照される入力画像用メモリとして用いられる。
【００７１】
一方、切り替え部１３では、メモリ１１ａがそのまま表示用メモリとして割り当てられており、画面合成部５にメモリ１１ａの保持データが出力されて表示部７の表示媒体（画面）上に画像が表示される。
【００７２】
表示部７におけるＥ１は、この時点で表示媒体（表示画面）上に表示されている画像である。ここでも、画面描画途中で表示用メモリとしてのメモリ１１ａが切り替わらず、その保持データも更新されないため、図６のＢ１のような画像のずれは生じない。
【００７３】
以上のように、本実施形態１によれば、動画像圧縮処理と表示データ出力処理（画面更新）のように、互いの動作タイミングに同期が取れないものに対しても、三つの画像メモリを切り替えて表示用メモリとして用いることによって、表示ずれを防いで画面ちらつきをなくすことができ、良好な状態で動画像表示を行うことが可能となる。
【００７４】
なお、上記実施形態１では、液晶ディスプレイのように一定間隔で表示媒体（表示画面）に対して画面データが出力されて画面が更新される場合について説明したが、外部から他の手段により表示媒体（表示画面）への表示タイミングが非同期に要求されるものについても、本発明の動画像表示装置１Ａおよびこれを用いた動画像表示方法を適用することが可能である。
【００７５】
この場合、図１の場合と同様な構成の動画像表示装置１Ａにおいて、図２の表示切替タイミング（時間ｔ＋１）を、外部から画面表示要求（更新要求）がなされた時間として、メモリ切り替え部１３において一定間隔で表示用メモリを切り替えるのではなく、外部から表示要求がなされたタイミングで（タイミングに合わせて）表示用メモリを切り替える。これにより、画像ずれがないちらつきのない良好な動画像表示が可能となる。
【００７６】
なお、この動画像処理としては、その他の動画像圧縮処理または動画像伸張処理を行う回路を更に設けてもよい。この場合の動画像処理の一例として、動画像圧縮処理の他に動画像伸張処理を行う場合を実施形態２に示す。
（実施形態２）
本実施形態２では、二つの動画像データをそれぞれ圧縮処理および伸張処理しながら１枚の画面に合成表示する場合について説明する。
【００７７】
図３は、本実施形態２の動画像表示装置１Ｂの概略構成例を示すブロック図である。なお、図３において、図１の場合と同じ作用効果（機能）を奏する部材については同じ符号を付して説明する。
【００７８】
図３に示すように、動画像表示装置１Ｂは、図１に示す動画像表示装置１Ａの構成に加えて、動画像データの伸長処理を行う動画像処理部としての動画像伸長回路１５と、この動画像伸長回路１５で処理された画像データが格納される三つのメモリ１６ａ〜１６ｃを有する表示メモリ部１６と、この表示メモリ部１６の三つのメモリ（伸長画像メモリ）１６ａ〜１６ｃと動画像伸長回路１５の入出力部（入力部および出力部）との各接続をそれぞれ切り替える二つの切り替え部１７ａ，１７ｂを有するメモリ切り替え部１７と、三つのメモリ１６ａ〜１６ｃと画像合成部５の入力部との接続を任意の一つに切り替えるメモリ切り替え部１８と、メモリ切り替え部１３，１８における表示用メモリの接続切り替えタイミングを調整制御する表示メモリ調整部１４Ｂとを有している。なお、これらの動画像圧縮回路２、表示メモリ部１１およびメモリ切り替え部１２、１３は図１に示す動画像表示装置１Ａと構成が同様である。
【００７９】
動画像伸長回路１５では、ＭＰＥＧ−４などにより動画像データの伸長処理が行われる。ＭＰＥＧ−４などによる動画像伸長処理では、動画像圧縮回路２の動画像圧縮処理の場合と同様に、前フレームの画像データを参照データとして入力画像データ（外部から通信などにより供給される現フレームの画像データ）の動画像伸長処理が行われ、生成された伸長画像データを次フレームで参照データとして用いて動画像伸長処理を行う、という処理を繰り返すことによって動画像データの伸長処理を行っている。
【００８０】
これによって、１フレーム前の時間に出力された画像データを参照データとして保持するためのメモリ（入力画像用メモリ）と、伸長された画像データを次フレームの伸長処理用の参照データとして保持するためのメモリ（出力画像用メモリ）が必要である。
【００８１】
本実施形態２では、表示メモリ部１６に設けられた三つのメモリ１６ａ〜１６ｃが、これらの動画像伸長処理用の入力画像用メモリおよび出力画像用メモリの他に、画像合成部５に表示データを供給する表示用メモリとしても用いられる。なお、外部からの入力画像データについてはその説明を省略する。
【００８２】
メモリ切り替え部１７，１８では、表示メモリ部１６の各メモリ１６ａ〜１６ｃのそれぞれが入力画像用メモリ、出力画像用メモリおよび表示用メモリとして割り当てられるように、動画像伸長回路１５および画面合成部５との接続が切り替えられる。
【００８３】
切り替え部１７ａでは、動画像伸長処理のために必要とされる参照データを動画像伸長回路１５に供給するために、メモリ１６ａ〜１６ｃの一つが入力画像用メモリとして選択されて動画像伸長回路１５の入力部と接続される。
【００８４】
切り替え部１７ｂでは、動画像伸長処理後の画像データを次フレームの参照データとして保持するために、メモリ１６ａ〜１６ｃの一つが出力画像用メモリとして選択されて動画像伸長回路１５の出力部と接続される。
【００８５】
メモリ切り替え部１８では、画像合成部５に表示データを供給するために、メモリ１６ａ〜１６ｃの一つが表示用メモリとして選択されて画像合成部５の入力部と接続される。このメモリ切り替え部１８では、表示メモリ調整部１４Ｂからの制御信号によってメモリ１６ａ〜１６ｃと画面合成部５の入力部との接続が切り替えられる。
【００８６】
本実施形態２では、動画像処理（伸長処理）と表示画面更新とのタイミングが非同期であっても、異なるフレームの動画像データが１枚の画面に表示されてちらつきが生じることがないように、表示メモリ調整部１４Ｂからの制御信号によって、表示用メモリの切り替えタイミングが表示タイミングに合わせて調整制御されている。
【００８７】
この場合、入力画像用データと出力画像用データの切り替えタイミング（切り替え部１７ａと１７ｂの切り替え動作）は、動画像伸長回路１５からの処理終了信号などによって制御される。
【００８８】
画面合成部５では、表示メモリ部１１，１６から供給される複数の表示データから一枚の画面データが合成される。このとき、画面合成部５では、表示メモリ部１１，１６からの各画像データ（動画像）の表示画面上の配置位置や表示倍率（画像サイズ）などをそれぞれ独立して任意に設定することも可能である。また、画面合成部５では、表示メモリ部１１，１６からの各画像データの表示順位を任意に設定して、同じ位置に任意の順番で重ね合せて配置することも可能である。
【００８９】
画面出力部６では、画面合成部５から供給される複数の表示画像を含む画面データが表示媒体（表示画面）上に出力可能な画像データに変換されて表示部７（表示媒体）に供給される。
【００９０】
表示部７では、液晶ディスプレイなどの表示媒体（表示画面）上に画像データが表示され、その表示画面により実際にユーザが画像を見ることができる。
【００９１】
上記構成により、以下に、本実施形態２の動画像表示装置１Ｂの動作（動画像表示方法）について説明する。
【００９２】
図４は、図３のメモリ１１ａ〜１１ｃおよびメモリ１６ａ〜１６ｃの切り替えタイミングと表示部７の画面表示タイミングとを時間軸に沿って示した図である。
【００９３】
図４に示すように、時間ｔ（フレーム出力開始時）には、切り替え部１２ａおよび１２ｂではメモリ１１ａおよび１１ｂが動画像圧縮処理用のメモリとして割り当てられており、メモリ１１ｂが動画像圧縮回路２により入力画像用メモリとして参照されて動画像圧縮処理が行われ、動画像圧縮回路２からの処理途中の出力画像データは出力画像用メモリとしてのメモリ１１ａに格納される。このとき、切り替え部１３ではこれらとは別のメモリ１１ｃが表示用メモリとして割り当てられており、１フレームの画面表示が完了するまで（画面更新まで；表示タイミングに合わせて）、このメモリ１１ｃの保持データが表示データとして画面合成部５に供給されて、表示部７の表示媒体（表示画面）上に表示画像が表示される。
【００９４】
また、切り替え部１７ａおよび１７ｂではメモリ１６ｂおよび１６ｃが動画像伸長処理用のメモリとして割り当てられており、メモリ１６ｂが動画像伸長回路１５により入力画像用メモリとして参照されて動画像伸長処理が行われ、動画像伸長回路１５からの処理途中の出力画像データは出力画像用メモリとしてのメモリ１６ｃに格納される。このとき、切り替え部１８ではこれらとは別のメモリ１６ａが表示用メモリとして割り当てられており、１フレームの画面表示が完了するまで（画面更新まで；表示タイミングに合わせて）、このメモリ１６ａの保持データが表示データとして画面合成部５に供給されて、表示部７の表示媒体（表示画面）上に画像が表示される。
【００９５】
表示部７におけるＡ２は、このフレームの途中で表示媒体（表示画面）上に表示されている画像である。ここでは、メモリ１１ｃに格納されているフレームデータのうち、上半分が表示されている。
【００９６】
次に、時間ｔ＋Δｘには、動画像圧縮回路２による動画像圧縮処理が終了し、メモリ１１ａに処理が終了した出力画像データが格納される。この時点で、切り替え部１２ａおよび１２ｂにより入力画像用メモリと出力画像用メモリとが切り替えられて動画像圧縮回路２の入出力部との接続が切り替えられる。これにより、メモリ１１ｂは、それまで動画像圧縮回路２から参照される入力画像用メモリとして用いられていたが、動画像圧縮回路２により圧縮処理された出力画像データが格納される出力画像用メモリとして用いられる。また、メモリ１１ａは、それまで動画像圧縮回路２により圧縮処理された出力画像データが格納される出力画像用メモリとして用いられていたが、動画像圧縮回路２から参照される入力画像用メモリとして用いられる。
【００９７】
一方、切り替え部１３では、画面合成部５に表示データを供給する表示用メモリがメモリ１１ｃのまま切り替えられず、表示用メモリとしてのメモリ１１ｃの保持データが表示データとして画面合成部５に供給されて、表示部７の表示媒体（表示画面）上に画像が表示される。また、切り替え部１７ａ，１７ｂ，１８ではメモリ切り替えが行われず、表示用メモリとしてのメモリ１６ａの保持データが表示データとして供給されて、表示部７の表示媒体（表示画面）上に画像が表示される。
【００９８】
表示部７におけるＢ２１およびＢ２２は、この時点で表示媒体（表示画面）上に表示されている画像である。ここでは、メモリ１１ｃの保持データ（フレームデータ）は表示が完了されているが、画面描画途中で表示用メモリとしてのメモリ１１ｃが切り替わらず、その保持データも更新されないため、図４のＢ２１には図６のＢのような画像のずれは生じない。また、図４のＢ２２には、メモリ１６ａに格納されているフレームデータのうち、上半分が表示されている。
【００９９】
続いて、時間ｔ＋Δ（ｘ＋１）では、切り替え部１２ａ，１２ｂ，１３でメモリ切り替えが行われず、表示用メモリとしてのメモリ１１ｃの保持データが表示データとして供給されて、表示部７の表示媒体（表示画面）上に画像が表示される。
【０１００】
一方、動画像伸長回路１５による動画像伸長処理は終了し、メモリ１６ｃに処理が終了した出力画像データが格納される。この時点で、切り替え部１７ａおよび１７ｂにより入力画像用メモリと出力画像用メモリとが切り替えられて動画像伸張回路１５の入出力部との接続が切り替えられる。これにより、メモリ１６ｂは、それまで動画像伸長回路１５から参照される入力画像用メモリとして用いられていたが、動画像伸長回路１５により伸長処理された出力画像データが格納される出力画像用メモリとして用いられる。また、メモリ１６ｃは、それまで動画像伸長回路１５により伸長処理された出力画像データが格納される出力画像用メモリとして用いられていたが、動画像伸長回路１５から参照される入力画像用メモリとして用いられる。
【０１０１】
切り替え部１８では、画面合成部５に表示データを供給する表示用メモリがメモリ１６ａのまま切り替えられず、表示用メモリとしてのメモリ１６ａの保持データが表示データとして供給されて、表示部７の表示媒体（表示画面）上に画像が表示される。
【０１０２】
表示部７におけるＣ２１およびＣ２２は、この時点で表示媒体（表示画面）上に表示されている画像である。ここでも、図４のＢ２１の場合と同様に、図４のＣ２１には画像のずれは生じていない。また、メモリ１６ａの保持データ（フレームデータ）は表示が完了しているが、画面描画途中で表示用メモリとしてのメモリ１６ａが切り替わらず、その保持データも更新されないため、図４のＣ２２には、図６のＢのような画像のずれは生じていない。
【０１０３】
続いて、時間ｔ＋１において１フレームの画面出力が終了すると、圧縮処理側では、切り替え部１３ではメモリ１１ａが次フレーム用の表示メモリとして割り当てられて画面合成部５の入力部との接続が切り替えられる。また、切り替え部１２ａでは、メモリ１１ａが入力画像用メモリとしても兼用して割り当てられ、動画像圧縮回路２により参照されて動画像圧縮処理が行われる。また、切り替え部１２ｂでは、メモリ１１ｂがそのまま出力画像用メモリとして割り当てられており、動画像圧縮回路２からの処理途中の出力画像データがメモリ１１ｂに格納される。この時点で、メモリ１１ｃは未使用になる。
【０１０４】
一方、伸長処理側では、切り替え部１８でメモリ１６ｃが次フレーム用の表示用メモリとして割り当てられて画面合成部５の入力部との接続が切り替えられる。また、切り替え部１７ａでは、メモリ１６ｃが入力画像用メモリとしても兼用して割り当てられ、動画像伸長回路１５により参照されて動画像伸長処理が行われる。また、切り替え部１７ｂでは、メモリ１６ｂがそのまま出力画像用メモリとして割り当てられており、動画像伸長回路１５からの処理途中の出力画像データがメモリ１６ｂに格納される。この時点で、メモリ１６ａは未使用になる。
【０１０５】
表示部７におけるＤ２は、このフレームの途中で表示媒体（表示画面）上に表示されている画像である。ここでは、メモリ１１ａに格納されているフレームデータのうち、上半分が表示されている。
【０１０６】
その後、時間（ｔ＋１）＋Δｘには、動画像圧縮回路２による動画像圧縮処理が終了し、メモリ１１ｂに処理が終了した出力画像データが格納される。この時点で、切り替え部１２ａおよび１２ｂにより入力画像用メモリと出力画像用メモリとが切り替えられて動画像圧縮回路２の入出力部との接続が切り替えられる。これにより、メモリ１１ｃは、それまで未使用であったが、動画像圧縮回路２により圧縮処理された出力画像データが格納される出力画像用メモリとして用いられる。また、メモリ１１ｂは、それまで動画像圧縮回路２により圧縮処理された出力画像データが格納される出力画像用メモリとして用いられていたが、動画像圧縮回路２から参照される入力画像用メモリとして用いられる。
【０１０７】
一方、切り替え部１３では、メモリ１１ａがそのまま表示用メモリとして割り当てられており、画面合成部５にメモリ１１ａの保持データが出力されて表示部７の表示媒体（表示画面）上に画像が表示される。また、切り替え部１６ａ，１６ｂ，１８ではメモリ切り替えが行われず、表示用メモリとしてのメモリ１６ｃの保持データが表示データとして供給されて、表示部７の表示媒体（表示画面）上に画像が表示される。
【０１０８】
表示部７におけるＥ２１およびＥ２２は、この時点で表示媒体（表示画面）上に表示されている画像である。ここでは、メモリ１１ａの保持データ（フレームデータ）は表示が完了されているが、画面描画途中で表示用メモリとしてのメモリ１１ａが切り替わらず、その保持データも更新されないため、図４のＥ２１には図６のＢのような画像のずれは生じない。また、メモリ１６ｃの保持データ（フレームデータ）も表示が完了しているが、画面描画途中で表示用メモリとしてのメモリ１６ｃが切り替わらず、その保持データも更新されないため、図４のＥ２２にも図６のＢのような画像のずれは生じない。
【０１０９】
したがって、本実施形態２によれば、１枚の画面に二つの画像データを表示させる場合であっても、表示ずれを防いで画面のちらつきを無くすことができ、良好な状態で動画像表示を行うことが可能となる。
【０１１０】
なお、上記実施形態２では、液晶ディスプレイのように一定間隔で表示媒体（表示画面）に対して画面データが出力されて画面が更新される場合について説明したが、外部から他の手段により表示媒体（表示画面）への表示タイミングが非同期に要求されるものについても、本発明の動画像表示装置および動画像表示方法を適用可能である。
【０１１１】
この場合、図３と同様な構成の動画像表示装置において、図４の表示切替タイミング（時間ｔ＋１）を、外部から画面表示要求（更新要求）がなされた時間として、メモリ切り替え部１３およびメモリ切り替え部１８において一定間隔で表示用メモリを切り替えるのではなく、外部から表示要求がなされたタイミングで（タイミングに合わせて）表示用メモリを切り替える。これにより、ちらつきがない良好な動画像表示が可能となる。
【０１１２】
なお、上記実施形態２では、二つの動画像データをそれぞれ圧縮処理および伸張処理しながら１枚の画面に合成表示する場合について説明したが、これに限らず、三つ以上の複数の動画像データをそれぞれ圧縮処理または伸長処理しながら１枚の画面に合成表示する場合であっても、上記実施形態２の場合と同様に、本発明を適用することが可能である。
【０１１３】
以上により、上記実施形態１，２によれば、動画像の圧縮処理または伸張処理を行う動画像処理部２と、この動画像処理部２により参照・更新されるメモリの他に表示用メモリとなる三つのメモリ１１ａ〜１１ｃを有する表示メモリ部１１と、三つのメモリ１１ａ〜１１ｃの切り替えを行う切り替え部１２ａ，１２ｂ，１３と、表示用メモリの切り替えタイミングを制御する表示メモリ調整部１４Ａ（または１４Ｂ）と、表示メモリ部１１から入力される動画像データから１枚の画面データを生成する画面合成部５と、この画面合成部５の出力を表示部７に出力する画面出力部６とを少なくとも有し、表示部７の表示タイミングに合わせてメモリ切り替え部１３の表示用メモリ切り替えタイミングを制御する。これによって、動画像処理と表示画面更新のタイミングが非同期である画面表示装置１Ａ（または１Ｂ）において、一つまたは複数の動画像を画像表示する際に、異なるフレームの画像が１枚の表示画面に表示されて画面ちらつきが発生することを防ぐことができる。
【０１１４】
なお、上記実施形態１，２で説明した動画像処理装置１Ａ，１Ｂを、液晶表示画面などの表示画面部を持つ例えばテレビジョン電話システムなどの双方向および多地点間での動画像通信システムに適用することができる。
【０１１５】
以上のように、本発明の好ましい実施形態１，２を用いて本発明を例示してきたが、本発明は、この実施形態１，２に限定して解釈されるべきものではない。本発明は、特許請求の範囲によってのみその範囲が解釈されるべきであることが理解される。当業者は、本発明の具体的な好ましい実施形態１，２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。  
【産業上の利用可能性】
【０１１６】
本発明は、動画像を表示可能とする動画像表示装置および動画像表示方法、これらを用いた例えばテレビジョン電話システムなどの双方向および多地点間での動画像通信システムの分野において、一つまたは複数の動画像を１枚の画面に表示させる場合に、動画像がちらついて表示されることがなくなる。さらに、一つの動画像を任意の表示位置および表示サイズで表示させる場合や、複数の動画像を任意の表示順位、表示位置および表示サイズで表示させる場合においても、ちらついて表示されることがなく、画面の視認性を向上させることができる。本発明は、液晶表示装置などの表示媒体（表示画面）を有する動画像表示装置に適用可能であり、例えばテレビジョン電話システムなどの双方向および多地点間での動画像通信システムに利用できて、ちらつきのない良好な表示品位で画像を表示させることができる。
【図面の簡単な説明】
【０１１７】
【図１】本発明の動画像表示装置の実施形態１における概略構成例を示すブロック図である。
【図２】図１の表示メモリ部の切り替えタイミングと表示部の画面表示タイミングとを時間軸に沿って示した図である。
【図３】本発明の動画像表示装置の実施形態２における概略構成例を示すブロック図である。
【図４】図３の各表示メモリ部の切り替えタイミングと表示部の画面表示タイミングとを時間軸に沿って示した図である。
【図５】特許文献１に開示されている従来の動画像表示装置の概略構成例を示すブロック図である。
【図６】図５の表示メモリ部の切り替えタイミングと表示部の画面表示タイミングとを時間軸に沿って示した図である。
【符号の説明】
【０１１８】
１Ａ，１Ｂ 動画像表示装置
２  動画像圧縮回路
５  画面合成部
６  画面出力部
７  表示部（表示媒体）
１１，１６  表示メモリ部
１１ａ〜１１ｃ  メモリ（圧縮画像メモリ）
１２，１３，１７，１８ メモリ切り替え部
１２ａ，１２ｂ，１７ａ，１７ｂ 切り替え部
１４Ａ，１４Ｂ 表示メモリ調整部
１５  動画像伸張回路
１６ａ〜１６ｃ メモリ（伸長画像メモリ）
【図１】
2005286920.tif 000003
【図２】
2005286920.tif 000004
【図３】
2005286920.tif 000005
【図４】
2005286920.tif 000006
【図５】
2005286920.tif 000007
【図６】
2005286920.tif 000008